(57)【要約】【課題】デジタル放送及びアナログ放送の双方の受信が可能な「ラジオ受信装置」において、利用者にとってより好ましいシーク動作を可能にすることである。【解決手段】デジタル放送及びアナログ放送の受信が可能なラジオ受信装置であって、受信されているアナログ放送の番組についての放送情報が表示部に表示された状態で、前記受信されているアナログ放送の同調周波数から開始されるシーク動作により最初に受信される放送番組が、前記アナログ放送の番組と同一の放送局からのデジタル放送による同一の番組である場合、前記受信されたデジタル放送の番組に基づいた放送情報の表示に係る処理を行うことなく、前記表示部に表示された放送情報を維持させる第１表示制御手段（Ｓ１１、Ｓ１２、Ｓ１３、Ｓ１４、Ｓ１５）を有する構成となる。【選択図】図３
2014078819.tif 000002
【特許請求の範囲】
【請求項１】
所定周波数帯域でのデジタル放送及びアナログ放送の受信が可能であって、同調周波数を順次変えて受信される放送番組を探すシーク動作を実行し、該シーク動作によって受信される放送番組の音声出力とともに該放送番組についての所定事項を表す放送情報を表示部に表示するラジオ受信装置であって、
受信されているアナログ放送の番組についての放送情報が前記表示部に表示された状態で、前記受信されているアナログ放送の同調周波数から開始される前記シーク動作により最初に受信される放送番組が、前記アナログ放送の番組と同一の放送局からのデジタル放送による同一の番組である場合、前記受信されたデジタル放送の番組に基づいた放送情報の表示に係る処理を行うことなく、前記表示部に表示された放送情報を維持させる第１表示制御手段を有するラジオ受信装置。
【請求項２】
前記第１表示制御手段は、前記放送情報の表示が維持される前記表示部に、前記アナログ放送から前記デジタル放送に切り替わったことを表す第１放送切替情報を表示させる請求項１記載のラジオ受信装置。
【請求項３】
受信されているデジタル放送の番組についての放送情報が前記表示部に表示された状態で、前記受信されているデジタル放送の同調周波数から前記シーク動作を開始する際に、前記デジタル放送の受信品質が所定品質より良好であるか否かを判定する受信品質判定手段と、
該受信品質判定手段にて前記デジタル放送の受信品質が前記所定品質より良好ではないと判定されたときに、前記シーク動作により最初に受信される放送番組が、前記デジタル放送の番組と同一の放送局からのアナログ放送による同一の番組である場合、前記受信されたアナログ放送の番組に基づいた放送情報の表示に係る処理を行うことなく、前記表示部に表示された放送情報を維持させる第２表示制御手段を有する請求項１または２記載のラジオ受信装置。
【請求項４】
前記第２表示制御手段は、前記放送情報の表示が維持される前記表示部に、前記デジタル放送から前記アナログ放送に切り替わったことを表す第２放送切替情報を表示させる請求項３記載のラジオ受信装置。
【請求項５】
前記受信品質判定手段により前記デジタル放送の受信品質が前記所定品質より良好であると判定されたときには、前記デジタル放送の番組と同一の放送局からの同一のアナログ放送の番組に基づいた音声出力及び放送情報の表示に係る処理を行うことなく、前記シーク動作を継続させる手段を有する請求項３または４記載のラジオ受信装置。
【請求項６】
同一の放送局からの同一の番組の放送が所定の周波数間隔をあけてアナログ放送とデジタル放送とでなされている状況において、
前記同調周波数を前記所定の周波数間隔でステップ的に変えて前記シーク動作を行う請求項１乃至５のいずれかに記載のラジオ受信装置。
【請求項７】
同一の放送局からの同一の番組の放送が所定の周波数間隔をあけてアナログ放送とデジタル放送とでなされる状況において、
前記受信されるデジタル放送の同調周波数から前記所定の周波数間隔でステップ的に当該同調周波数を変えるシーク動作を開始させる際に、前記受信品質判定手段により前記デジタル放送の受信品質が前記所定品質より良好であると判定されたときには、前記所定の周波数間隔をあけた次の同調周波数での受信番組に基づいた音声出力及び放送情報の表示に係る処理をスキップさせる手段を有する請求項３または４記載のラジオ受信装置。
【請求項８】
所定周波数帯域でのデジタル放送及びアナログ放送の受信が可能であって、同調周波数を順次変えて受信される放送番組を探すシーク動作を実行し、該シーク動作によって受信される放送番組の音声出力とともに該放送番組についての所定事項を表す放送情報を表示部に表示するラジオ受信装置であって、
受信されているデジタル放送の番組についての放送情報が前記表示部に表示された状態で、前記受信されているデジタル放送の同調周波数から前記シーク動作を開始する際に、前記デジタル放送の受信品質が所定品質より良好であるか否かを判定する受信品質判定手段と、
該受信品質判定手段にて前記デジタル放送の受信品質が前記所定品質より良好ではないと判定されたときに、前記シーク動作により最初に受信される放送番組が、前記デジタル放送の番組と同一の放送局からのアナログ放送による同一の番組である場合、前記受信されたアナログ放送の番組に基づいた放送情報の表示に係る処理を行うことなく、前記表示部に表示された放送情報を維持させる第２表示制御手段を有するラジオ受信装置。
【請求項９】
前記受信品質判定手段により前記デジタル放送の受信品質が前記所定品質より良好であると判定されたときには、前記デジタル放送の番組と同一の放送局からの同一のアナログ放送の番組に基づいた音声出力及び放送情報の表示に係る処理を行うことなく、前記シーク動作を継続させる手段を有する請求項８記載のラジオ受信装置。
【請求項１０】
前記放送番組についての所定事項を表す放送情報は、放送局名及び番組名の少なくともいずれかを含む請求項１乃至９のいずれかに記載のラジオ受信装置。
【発明の詳細な説明】
【技術分野】
【０００１】
本発明は、所定周波数帯域でのデジタル放送及びアナログ放送の双方が受信可能であって、同調周波数を順次変えて受信される放送番組を探すシーク動作を行うラジオ受信装置に関する。
【背景技術】
【０００２】
従来、同調周波数を順次変えて受信される放送番組を探すシーク動作を行ない得るラジオ受信装置がある（例えば、特許文献１参照）。このようなラジオ受信装置では、利用者は、自身が特に同調操作（チューニング操作）を行わなくても、同調周波数が順次変えられて受信される放送番組の音声出力がなされるので、希望の放送番組をより速く探し出すことができる。
【先行技術文献】
【特許文献】
【０００３】
【特許文献１】特開平５−２７５９８０号公報
【発明の概要】
【発明が解決しようとする課題】
【０００４】
ところで、近年、ＤＲＭ（Digital Radio Mondiale）によるデジタル放送サービスが一部の国々で開始されている。このＤＲＭでは、短波帯域や中波帯域を利用してＡＭ変調によるデジタル放送がなされる。このように、ＤＲＭによるデジタル放送は、短波帯域や中波帯域を利用したＡＭ変調による放送であることから、同様に短波帯域や中波帯域を利用したＡＭ変調による従来のアナログ放送の設備をそのまま流用することができる。このため、今後、同じ放送局から同じ番組が、異なる周波数を利用して従来のアナログ放送とＤＲＭのデジタル放送とによって放送されることが考えられる。実際のＤＲＭにおいても、既存のアナログ放送の周波数に隣接して同じ番組（コンテンツ）のデジタル放送の周波数を配するＭＣＳ（Multi-Channel Simulcast）が規定されている。
【０００５】
短波帯域や中波帯域を利用してＡＭ変調されたアナログ放送及びデジタル放送の双方が受信可能なラジオ受信装置において、同じ放送局からの同じ番組のアナログ放送とデジタル放送とを隣接した周波数によって受信されることを考慮して、利用者にとってより好ましいシーク動作が望まれている。
【０００６】
本発明は、このような事情に鑑みてなされたもので、デジタル放送及びアナログ放送の双方の受信が可能なラジオ受信装置において、利用者にとってより好ましいシーク動作を可能にするものである。
【課題を解決するための手段】
【０００７】
本発明に係るラジオ受信装置は、所定周波数帯域でのデジタル放送及びアナログ放送の受信が可能であって、同調周波数を順次変えて受信される放送番組を探すシーク動作を実行し、該シーク動作によって受信される放送番組の音声出力とともに該放送番組についての所定事項を表す放送情報を表示部に表示するラジオ受信装置であって、受信されているアナログ放送の番組についての放送情報が前記表示部に表示された状態で、前記受信されているアナログ放送の同調周波数から開始される前記シーク動作により最初に受信される放送番組が、前記アナログ放送の番組と同一の放送局からのデジタル放送による同一の番組である場合、前記受信されたデジタル放送の番組に基づいた放送情報の表示に係る処理を行うことなく、前記表示部に表示された放送情報を維持させる第１表示制御手段を有する構成となる。
【０００８】
このような構成により、受信されているアナログ放送の番組についての放送情報が前記表示部に表示された状態で、その受信されているアナログ放送の同調周波数から開始される前記シーク動作により最初に受信される放送番組が、前記アナログ放送の番組と同一の放送局からのデジタル放送による同一の番組である場合、新たに受信されたデジタル放送の番組に基づいた放送情報の表示に係る処理がなされることなく、表示部に表示された放送情報が維持される。
【０００９】
本発明に係るラジオ受信装置において、前記第１表示制御手段は、前記放送情報の表示が維持される前記表示部に、前記アナログ放送から前記デジタル放送に切り替わったことを表す第１放送切替情報を表示させる構成とすることができる。
【００１０】
このような構成により、受信されているアナログ放送の番組についての放送情報が表示部に表示された状態で、その受信されているアナログ放送の同調周波数から開始されるシーク動作により最初に前記アナログ放送の番組と同一の放送局からの同一番組のデジタル放送が受信された場合、放送番組の音声出力が変わらず、また、前記表示部に表示される放送情報が維持されていても、前記表示部に第１放送切替情報が表示されるので、利用者は、番組自体は同じであっても、その第１放送切替情報によって受信される放送がアナログ放送からデジタル放送に変わったことを知ることができる。
【００１１】
また、本発明に係るラジオ受信装置において、受信されているデジタル放送の番組についての放送情報が前記表示部に表示された状態で、前記受信されているデジタル放送の同調周波数から前記シーク動作を開始する際に、前記デジタル放送の受信品質が所定品質より良好であるか否かを判定する受信品質判定手段と、該受信品質判定手段にて前記デジタル放送の受信品質が前記所定品質より良好ではないと判定されたときに、前記シーク動作により最初に受信される放送番組が、前記デジタル放送の番組と同一の放送局からのアナログ放送による同一の番組である場合、前記受信されたアナログ放送の番組に基づいた放送情報の表示に係る処理を行うことなく、前記表示部に表示された放送情報を維持させる第２表示制御手段を有する構成とすることができる。
【００１２】
このような構成により、受信されているデジタル放送の番組についての放送情報が表示部に表示された状態で、その受信されているデジタル放送の同調周波数からシーク動作が開始される際に、そのデジタル放送の受信品質が所定品質より良好でない場合に、前記デジタル放送の番組と同一の放送局からのアナログ放送による同一の番組であれば、新たに受信されたそのアナログ放送の番組に基づいた放送情報の表示に係る処理がなされることなく、表示部に表示された放送情報が維持される。
【００１３】
また、本発明に係るラジオ受信装置において、前記第２表示制御手段は、前記放送情報の表示が維持される前記表示部に、前記デジタル放送から前記アナログ放送に切り替わったことを表す第２放送切替情報を表示させる構成とすることができる。
【００１４】
このような構成により、受信品質が所定品質より良好でないデジタル放送の番組についての放送情報が表示部に表示された状態で、その受信されているデジタル放送の同調周波数から開始されるシーク動作により最初に前記デジタル放送の番組と同一の放送局からの同一番組のアナログ放送が受信された場合、放送番組の音声出力が変わらず、また、前記表示部に表示される放送情報が維持されていても、前記表示部に第２放送切替情報が表示されるので、利用者は、番組自体は同じであっても、その第２放送切替情報によって受信される放送がデジタル放送からアナログ放送に変わったことを知ることができる。
【００１５】
更に、本発明に係るラジオ受信装置において、前記受信品質判定手段により前記デジタル放送の受信品質が前記所定品質より良好であると判定されたときには、前記デジタル放送の番組と同一の放送局からの同一のアナログ放送の番組に基づいた音声出力及び放送情報の表示に係る処理を行うことなく、前記シーク動作を継続させる手段を有する構成とすることができる。
【００１６】
このような構成により、受信されているデジタル放送番組についての放送情報が表示部に表示された状態で、その受信されているデジタル放送の同調周波数からシーク動作が開始される際に、そのデジタル放送の受信品質が所定品質より良好である場合には、該デジタル放送と同一放送局からの同一の番組のアナログ放送が受信されたとしても、そのアナログ放送の番組に基づいた音声出力及び放送情報の表示に係る処理がなされることなく、前記シーク動作が継続される。従って、受信品質が良好なデジタル放送の番組を変えるとの利用者の意思によって始められたシーク動作において、該デジタル放送と同一の放送局からの同一の番組のアナログ放送が受信されたとしても、そのアナログ放送の番組に基づいた音声出力及び放送情報の表示がなされないので、利用者が希望しないであろう無駄な番組の音声出力や表示に係る処理を省くことができる。
【００１７】
また、本発明に係るラジオ受信装置において、同一の放送局からの同一の番組の放送が所定の周波数間隔をあけてアナログ放送とデジタル放送とでなされている状況において、前記同調周波数を前記所定の周波数間隔でステップ的に変えて前記シーク動作を行う構成とすることができる。
【００１８】
このような構成により、シーク動作において、同一の放送局からの同一の番組のアナログ放送とデジタル放送の同調周波数の間隔である所定の周波数間隔でステップ的に同調周波数が変えられるので、アナログ放送（デジタル放送）の番組を受信している状態で同調周波数を１ステップ（所定の周波数間隔）分変えたときに、同一の放送局からの同一の番組のデジタル放送（アナログ放送）を受信することができるとの予想のもとに、シーク動作を行うことができる。
【００１９】
また、本発明に係るラジオ受信装置において、同一の放送局からの同一の番組の放送が所定の周波数間隔をあけてアナログ放送とデジタル放送とでなされる状況において、前記受信されるデジタル放送の同調周波数から前記所定の周波数間隔でステップ的に当該同調周波数を変えるシーク動作を開始させる際に、前記受信品質判定手段により前記デジタル放送の受信品質が前記所定品質より良好であると判定されたときには、前記所定の周波数間隔をあけた次の同調周波数での受信番組に基づいた音声出力及び放送情報の表示に係る処理をスキップさせる手段を有する構成とすることができる。
【００２０】
このような構成により、シーク動作において、同一の放送局からの同一の番組のアナログ放送とデジタル放送の同調周波数の間隔である所定の周波数間隔でステップ的に同調周波数が変えられるので、デジタル放送の番組を受信している状態で同調周波数を１ステップ（所定の周波数間隔）分変えたときに、同一の放送局からの同一の番組のアナログ放送を受信することができるとの予想のもとに、シーク動作を行うことができる。このようなシーク動作において、受信品質が所定品質より良好なデジタル放送の番組を受信している状態で同調周波数が１ステップ（所定の周波数間隔）分変えられたときに、同一放送局からの同一の番組のアナログ放送が受信されたとしても、受信番組に基づいた音声出力及び放送情報の表示に係る処理がなされることなく、当該シーク動作が継続される。
【００２１】
本発明に係るラジオ受信装置は、所定周波数帯域でのデジタル放送及びアナログ放送の受信が可能であって、同調周波数を順次変えて受信される放送番組を探すシーク動作を実行し、該シーク動作によって受信される放送番組の音声出力とともに該放送番組についての所定事項を表す放送情報を表示部に表示するラジオ受信装置であって、受信されているデジタル放送の番組についての放送情報が前記表示部に表示された状態で、前記受信されているデジタル放送の同調周波数から前記シーク動作を開始する際に、前記デジタル放送の受信品質が所定品質より良好であるか否かを判定する受信品質判定手段と、該受信品質判定手段にて前記デジタル放送の受信品質が前記所定品質より良好ではないと判定されたときに、前記シーク動作により最初に受信される放送番組が、前記デジタル放送の番組と同一の放送局からのアナログ放送による同一の番組である場合、前記受信されたアナログ放送の番組に基づいた放送情報の表示に係る処理を行うことなく、前記表示部に表示された放送情報を維持させる表示制御手段を有する構成となる。
【００２２】
また、本発明に係るラジオ受信装置において、前記受信品質判定手段により前記デジタル放送の受信品質が前記所定品質より良好であると判定されたときには、前記デジタル放送の番組と同一の放送局からの同一のアナログ放送の番組に基づいた音声出力及び放送情報の表示に係る処理を行うことなく、前記シーク動作を継続させる手段を有する構成とすることができる。
【００２３】
更に、本発明に係るラジオ受信装置において、前記放送番組についての所定事項を表す放送情報は、放送局名及び番組名の少なくともいずれかを含む構成とすることができる。
【００２４】
このような構成により、受信されているアナログ放送の番組についての放送局及び番組名が前記表示部に表示された状態で、その受信されているアナログ放送の同調周波数から開始される前記シーク動作により最初に受信される放送番組が、前記アナログ放送の番組と同一の放送局からのデジタル放送による同一の番組である場合、新たに受信されたデジタル放送の番組に基づいた放送局名及び番組名の表示に係る処理がなされることなく、表示部に表示された前記放送局及び番組名が維持される。
【００２５】
また、受信されているデジタル放送の番組についての放送局名及び番組名が表示部に表示された状態で、その受信されているデジタル放送の同調周波数からシーク動作が開始される際に、そのデジタル放送の受信品質が所定品質より良好でない場合に、前記デジタル放送の番組と同一の放送局からのアナログ放送による同一の番組であれば、新たに受信されたそのアナログ放送の番組に基づいた放送局名及び番組名の表示に係る処理がなされることなく、表示部に表示された前記放送局名及び番組名が維持される。
【発明の効果】
【００２６】
本発明に係るラジオ受信装置によれば、シーク動作の過程でアナログ放送と同一の放送局からの同一の番組となるデジタル放送を受信した際に、前記アナログ放送の番組についての放送情報の表示部での表示が維持されて、その同一放送局からのデジタル放送での同一の番組についての放送情報の表示に係る処理がなされないので、該表示に係る処理に起因した表示部での表示内容に対する影響がない。従って、その表示に係る処理に起因した表示内容に対する影響がない等、利用者にとってより好ましいシーク動作が可能になる。
【００２７】
また、本願発明に係るラジオ受信装置によれば、シーク動作の過程で受信品質が所定品質より良好でないデジタル放送と同一の放送局からの同一の番組となるアナログ放送を受信した際に、前記デジタル放送の番組についての放送情報の表示部での表示が維持されて、その同一放送局からのアナログ放送での同一の番組についての放送情報の表示に係る処理がなされないので、該表示に係る処理に起因した表示部での表示内容に対する影響がない。従って、その表示に係る処理に起因した表示内容に対する影響がない等、利用者にとってより好ましいシーク動作が可能になる。
【図面の簡単な説明】
【００２８】
【図１】本発明の実施の形態に係るラジオ受信装置の構成を示すブロック図である。
【図２】アナログ放送及びデジタル放送の放送周波数の一例を示す図である。
【図３】図１に示すラジオ受信装置にてなされるシーク動作に係る処理の手順を示すフローチャートである。
【図４Ａ】図３に示す手順にてなされるシーク動作に係る処理にてなされる表示の一例（その１）を示す図である。
【図４Ｂ】図３に示す手順にてなされるシーク動作係る処理にてなされる表示の一例（その２）を示す図である。
【図５Ａ】図３に示す手順にてなされるシーク動作に係る処理にてなされる表示の一例（その３）を示す図である。
【図５Ｂ】図３に示す手順にてなされるシーク動作に係る処理にてなされる表示の一例（その４）を示す図である。
【図６】図３に示す手順にてなされるシーク動作に係る処理にてなされる表示の一例（その５）を示す図である。
【図７】図３に示す手順にてなされるシーク動作に係る処理にてなされる表示の一例（その６）を示す図である。
【発明を実施するための形態】
【００２９】
本発明の実施の形態について図面を用いて説明する。
【００３０】
本発明の実施の一形態に係るラジオ受信装置は図１に示すように構成される。このラジオ受信装置１００は、中波帯域でのＡＭ変調のアナログ放送の受信と、ＤＲＭによる同じ中波帯域のＡＭ変調のデジタル放送の受信とが可能である。前記アナログ放送とＤＲＭによるデジタル放送とは、例えば、図２に示す周波数にてなされているものと仮定する。
【００３１】
図２において、ＡＢＣ局から周波数ｆiでアナログ放送Ａ１がなされ、同じＡＢＣ局から前記周波数ｆiから所定周波数間隔Δｆ（例えば、９ｋＨｚ）だけ高い周波数ｆi+1で前記アナログ放送Ａ１と同じ番組のデジタル放送Ｄ１がなされている。ＤＥＦ局から周波数ｆjでデジタル放送Ｄ２がなされ、同じＤＥＦ局から前記周波数ｆjから所定周波数間隔Δｆだけ高い周波数ｆj+1で前記デジタル放送Ｄ２と同じ番組のアナログ放送Ａ２がなされている。また、ＸＹＺ局から周波数ｆkでデジタル放送Ｄ３がなされ、ＵＶＷ局から前記周波数ｆkから周波数間隔４Δｆだけ高い周波数ｆk+4でアナログ放送Ａ３がなされている。更に、ＧＨＩ局から周波数ｆmでアナログ放送Ａ４がなされ、同じＧＨＩ局から前記周波数ｆmから所定周波数間隔Δｆだけ高い周波数ｆm+1で前記アナログ放送Ａ４と同じ番組のデジタル放送Ｄ４がなされている。
【００３２】
図１に戻って、ラジオ受信装置１００は、ＡＭチューナ１１、復調回路１２、デジタル放送処理ユニット１３、アナログ放送処理ユニット１４、出力回路１５及びスピーカ１６を有している。このラジオ受信装置１００は、更に、制御ユニット２０、操作ユニット２１、表示ユニット２２及び放送情報抽出ユニット２３を有している。
【００３３】
ＡＭチューナ１１が、中波帯域においてＡＭ変調された同調周波数の放送信号を受信し、その放送信号が復調回路１２で復調されて実質的な放送内容を表す受信信号が生成される。デジタル放送処理ユニット１３は、復調回路１２から出力されるデジタル放送についての受信信号を処理して音声信号を生成して出力する。アナログ放送処理ユニット１４は、復調回路１２から出力されるアナログ放送についての受信信号を処理して音声信号を生成して出力する。出力回路１５は、デジタル放送処理ユニット１３またはアナログ放送処理ユニット１４からの音声信号に対して増幅などの処理を施し、その処理された音声信号に従ってスピーカ１６を駆動する。それにより、スピーカ１６から前記音声信号に基づいた音が発せられる。
【００３４】
制御ユニット２０には、操作ユニット２１、表示ユニット２２及び放送情報抽出ユニット２３が接続されている。制御ユニット２０は、操作ユニット２１での操作に従って種々の制御処理を実行する。ＡＭチューナ１１、デジタル放送処理ユニット１３及びアナログ放送処理ユニット１４に対する制御ユニット２０の制御により、アナログ放送及びデジタル放送の受信及び音声出力、また、後述するようなシーク動作がなされる。放送情報抽出ユニット２３は、制御ユニット２０の制御のもと、復調回路１２から出力される受信信号から放送局名及び番組名を含む放送番組についての所定事項を表す放送情報を抽出し、制御ユニット２０に提供する。また、制御ユニット２０は、種々の制御処理にて得られた情報を表示ユニット２２に表示させることができる。
【００３５】
制御ユニット２０の制御のもと、図３に示す手順に従ってシーク動作がなされる。
【００３６】
当初、制御ユニット２０の制御（Ｓ１１）のもと、ＡＭチューナ１１にて、例えば、同調周波数ｆ＝ｆiのアナログ放送Ａ１（図２参照）が受信され、復調回路１２及びアナログ放送処理ユニット１４での処理に従って、スピーカ１６からそのアナログ放送Ａ１の番組の音声出力がなされており、また、放送情報抽出ユニット２３によって抽出される前記アナログ放送Ａ１についての放送情報が表示ユニット２２に表示される。この場合、表示ユニット２２には、例えば、図４Ａに示すように、アナログ放送Ａ１の放送局名「ＡＢＣ局」及び番組名「ａａａａａ」の放送情報とともに、アナログ放送を受信していることを表すマーク「Ａ」が表示される。
【００３７】
この状態で、制御ユニット２０は、デジタル放送が受信されているか否かを判定する（Ｓ１２）。この場合、アナログ放送Ａ１が受信されているので（Ｓ１２でＮＯ）、制御ユニット２０は、ＡＭチューナ１１での同調周波数ｆをΔｆだけ高くなるように変化させる（Ｓ１３）。これにより、同調周波数ｆは、ｆ＋Δｆ＝ｆi+1になる（図２参照）。そして、制御ユニット２０は、その変化後の同調周波数ｆi+1で、前記アナログ放送Ａ１と同じ放送局からの同じ番組のデジタル放送が受信されるか否かを、放送情報抽出ユニット２３にて抽出される放送情報に基づいて判定する（Ｓ１４）。
【００３８】
この場合、同調周波数ｆi+1にて、前記アナログ放送Ａ１と同じ放送局「放送局名：ＡＢＣ局」からの同じ番組「番組名：ａａａａａ」のデジタル放送Ｄ１が受信されるので（Ｓ１４でＹＥＳ）、制御ユニット２０は、放送情報抽出ユニット２３にて抽出された前記デジタル放送Ｄ１の番組についての放送情報の表示に係る処理を行うことなく、例えば、図４Ｂに示すように、図４Ａに示す表示ユニット２２における放送情報（放送局名「ＡＢＣ局」、番組名「ａａａａａ」）の表示を維持させる（Ｓ１５）。その際、制御ユニット２０は、アナログ放送Ａ１からデジタル放送Ｄ１に切り替えられたことを表すＡＤ切替マーク「Ａ→Ｄ」（第１放送切替情報）を表示ユニット２２に追加的に表示させる（Ｓ１５）。そして、制御ユニット２０の制御（Ｓ２４）のもと、アナログ放送処理ユニット１４での処理からデジタル放送処理ユニット１３での処理に切り替えられ、前述したアナログ放送Ａ１の番組の音声出力から、前記デジタル放送Ｄ１の同じ番組（番組名「ａａａａａ」）の音声出力に切り替えられる。
【００３９】
これにより、利用者は、表示ユニット２２に表示が維持された放送情報により、現在受信されている放送番組が、シーク動作前と同じ「ＡＢＣ局」からの「ａａａａａ」という番組であること、及び表示ユニット２２に追加的に表示されたＡＤ切替マーク「Ａ→Ｄ」によりシーク動作によってアナログ放送からデジタル放送に切り替わったこと、を知ることができ、その番組をデジタル放送の音質にて聴くことができる。
【００４０】
ここで、利用者が、更に希望する番組を探すために、操作ユニット２１にてシーク動作についての操作を行うと、制御ユニット２０は、前記デジタル放送Ｄ１（同調周波数ｆ＝ｆi+1）の番組の音声出力をさせ、また、表示ユニット２２に図４Ｂに示すように放送局名「ＡＢＣ局」及び番組名「ａａａａａ」を表示させた（Ｓ１１）状態で、現在受信されている番組がデジタル放送であるか否かを判定する（Ｓ１２）。この場合、デジタル放送Ｄ１を受信しているので（Ｓ１２でＹＥＳ）、制御ユニット２０は、デジタル放送処理ユニット１３にて処理される受信信号のエラーレート等に基づいて、現在受信されている前記デジタル放送Ｄ１の受信品質が所定品質より良好であるか否かを判定する（Ｓ１６）。
【００４１】
前記デジタル放送Ｄ１の受信品質が所定品質より良好であると（Ｓ１６でＹＥＳ）、制御ユニット２０は、ＡＭチューナ１１での同調周波数ｆをΔｆだけ高くし（Ｓ２０）、受信される放送番組の有無にかかわらず、更に、その同調周波数ｆをΔｆだけ高くして（Ｓ２１）、放送番組が受信されるか否かを判定する（Ｓ２２）。このように、受信品質が良好なデジタル放送の同調周波数から、そのデジタル放送と同一の放送局からの同一の番組のアナログ放送が存在し得る所定周波数間隔Δｆ（例えば、９ｋＨｚ）だけ離れた同調周波数での放送番組の有無を確認しない（Ｓ２０→Ｓ２１）ことは、受信品質の良好なデジタル放送の番組に代えて、利用者が同じ番組のアナログ放送を聴くということは無いということ、及び所定周波数間隔Δｆでは、混信等を防止するため、異なる放送局からの放送がなされていないということを前提としている。
【００４２】
受信される放送番組が無い状態では、制御ユニット２０は、放送番組が受信されないことを確認しつつ（Ｓ２２でＮＯ）、ＡＭチューナ１１での同調周波数ｆをΔｆずつステップ的に順次あげていく（Ｓ２１）。前記デジタル放送Ｄ１の番組を受信した状態から、同調周波数ｆをΔｆずつステップ的に上昇させていく過程で、例えば、図２に示す同調周波数ｆjにてデジタル放送Ｄ２の番組を受信すると（Ｓ２２でＹＥＳ）、制御ユニット２０は、その際に放送情報抽出ユニット２３にて抽出される放送情報に基づいて、デジタル放送Ｄ２の番組についての放送情報（放送局名「ＤＥＦ」及び番組名「ｂｂｂｂｂ」）と、デジタル放送を受信していることを表すマーク「Ｄ」とを、例えば、図５Ａに示すように、表示ユニット２１に表示させる（Ｓ２３）。そして、制御ユニット２０の制御（Ｓ２４）のもと、デジタル放送処理ユニット１３での処理に従って前記デジタル放送Ｄ２の番組（番組名「ｂｂｂｂｂ」）の音声出力がなされる。
【００４３】
これにより、利用者は、表示ユニット２２に表示された放送情報及びマーク「Ｄ」により、現在受信されている放送番組が「ＥＤＦ局」からデジタル放送される「ｂｂｂｂｂ」という番組であることを知ることができ、また、その番組を聴くことができる。
【００４４】
例えば、上記のようにして受信された前記デジタル放送Ｄ２の受信品質が良好ではなく、利用者が、更に操作ユニット２１にてシーク動作についての操作を行うと、制御ユニット２０は、前記デジタル放送Ｄ２（同調周波数ｆ＝ｆj）の番組の音声出力をさせ、また、表示ユニット２２に図５Ａに示すように放送局名「ＤＥＦ局」及び番組名「ｂｂｂｂｂ」を表示させた（Ｓ１１）状態で、現在受信されている番組がデジタル放送であるか否かを判定する（Ｓ１２）。この場合、デジタル放送Ｄ２を受信しているので（Ｓ１２でＹＥＳ）、制御ユニット２０は、現在受信されている前記デジタル放送Ｄ２の受信品質が所定品質より良好であるか否かを判定する（Ｓ１６）。
【００４５】
制御ユニット２０は、現在受信されているデジタル放送Ｄ２の受信品質が所定品質より良好ではないと判定すると（Ｓ１６でＮＯ）、ＡＭチューナ１１での同調周波数ｆをΔｆだけ高くなるように変化させる（Ｓ１７）。これにより、同調周波数ｆは、ｆ＋Δｆ＝ｆj+1になる（図２参照）。そして、制御ユニット２０は、その変化後の同調周波数ｆj+1で、前記デジタル放送Ｄ２と同じ放送局からの同じ番組のアナログ放送が受信されるか否かを、放送情報抽出ユニット２３にて抽出される放送情報に基づいて判定する（Ｓ１８）。
【００４６】
この場合、同調周波数ｆj+1にて、前記デジタル放送Ｄ２と同じ放送局「放送局名：ＤＥＦ」からの同じ番組「番組名：ｂｂｂｂｂ」のアナログ放送Ａ２が受信されるので（Ｄ１８でＹＥＳ）、制御ユニット２０は、放送情報抽出ユニット２３にて抽出された前記アナログ放送Ａ２の番組についての放送情報の表示に係る処理を行うことなく、例えば、図５Ｂに示すように、図５Ａに示す表示ユニット２２における放送情報（放送局名「ＤＥＦ局」、番組名「ｂｂｂｂｂ」）の表示を維持させる（Ｓ１９）。その際、制御ユニット２０は、デジタル放送Ｄ２からアナログ放送Ａ２に切り替えられたことを表すＤＡ切替マーク「Ａ←Ｄ」（第２放送切替情報）を表示ユニット２２に追加的に表示させる（Ｓ１９）。そして、制御ユニット２０の制御（Ｓ２４）のもと、デジタル放送処理ユニット１３での処理からアナログ放送処理ユニット１４での処理に切り替えられ、前述したデジタル放送Ｄ２の番組の音声出力から、前記アナログ放送Ａ２の同じ番組（番組名「ｂｂｂｂｂ」）の音声出力に切り替えられる。
【００４７】
これにより、利用者は、表示ユニット２２に表示が維持された放送情報により、現在受信されている放送番組が、シーク動作前と同じ「ＤＥＦ局」からの「ｂｂｂｂｂ」という番組であること、及び表示ユニット２２に追加的に表示されたＤＡ切替マーク「Ａ←Ｄ」によりシーク動作によってデジタル放送からアナログ放送に切り替わったこと、を知ることができる。また、利用者は、受信品質が良好ではなくデジタル放送特有の途切れ途切れとなって聴き取り難いデジタル放送Ｄ２の番組と同じアナログ放送Ａ２の番組を、たとえ、背景雑音レベルが高く、受信品質は良好ではなくても、途切れ途切れになることなく聴くことができる。
【００４８】
利用者が、更に希望する番組を探すために、操作ユニット２１にてシーク動作についての操作を行うと、制御ユニット２０は、前記アナログ放送Ａ２（同調周波数ｆ＝ｆj+1）の番組の音声出力をさせ、また、表示ユニット２２に図５Ｂに示すように放送局名「ＤＥＦ局」及び番組名「ｂｂｂｂｂ」を表示させた（Ｓ１１）状態で、現在受信されている番組がデジタル放送であるか否かを判定する（Ｓ１２）。この場合、アナログ放送Ａ２を受信しているので（Ｓ１２でＮＯ）、制御ユニット２０は、ＡＭチューナ１１での同調周波数ｆをΔｆだけ高くなるように変化させる（Ｓ１３）。これにより、同調周波数ｆは、ｆj+1＋Δｆになる（図２参照）。そして、制御ユニット２０は、その変化後の同調周波数ｆj+1+Δｆでは、デジタル放送の番組が受信されないことを確認し（Ｓ１４でＮＯ）、その後、放送番組が受信されるか否かを判定しつつ（Ｓ２２）、同調周波数ｆをΔｆずつ順次ステップ的にあげていく（Ｓ２１）。
【００４９】
その過程で、例えば、図２に示す同調周波数ｆkにてデジタル放送Ｄ３の番組が受信されると（Ｓ２２でＹＥＳ）、制御ユニット２０は、その際に放送情報抽出ユニット２３にて抽出される放送情報に基づいて、デジタル放送Ｄ３の番組についての放送情報（放送局名「ＸＹＺ」及び番組名「ｃｃｃｃｃ」）と、デジタル放送を受信していることを表すマーク「Ｄ」とを、例えば、図６に示すように、表示ユニット２１に表示させる（Ｓ２３）。そして、制御ユニット２０の制御（Ｓ２４）のもと、デジタル放送処理ユニット１３での処理に従って前記デジタル放送Ｄ３の番組（番組名「ｃｃｃｃｃ」）の音声出力がなされる。
【００５０】
これにより、利用者は、表示ユニット２２に表示された放送情報及びマーク「Ｄ」により、現在受信されている放送番組が「ＸＹＺ局」からデジタル放送される「ｃｃｃｃｃ」という番組であることを知ることができ、また、その番組を聴くことができる。
【００５１】
利用者が、更に好みの番組を探すために、操作ユニット２１にてシーク動作についての操作を行うと、制御ユニット２０は、前記デジタル放送Ｄ３（同調周波数ｆ＝ｆk）の番組の音声出力をさせ、また、表示ユニット２２に図６に示すように放送局名「ＸＹＺ局」及び番組名「ｃｃｃｃｃ」を表示させた（Ｓ１１）状態で、現在受信されている番組がデジタル放送であるか否かを判定する（Ｓ１２）。この場合、デジタル放送Ｄ３を受信しているので（Ｓ１２でＹＥＳ）、制御ユニット２０は、現在受信されている前記デジタル放送Ｄ３の受信品質が所定品質より良好であるか否かを判定する（Ｓ１６）。
【００５２】
制御ユニット２０は、前記デジタル放送Ｄ３の受信品質が所定品質より良好な場合（Ｓ１６でＹＥＳ）、前述したのと同様に、ＡＭチューナ１１での同調周波数ｆをΔｆだけ高くし（Ｓ２０）、受信される放送番組の有無にかかわらず、更に、その同調周波数ｆをΔｆだけ高くして（Ｓ２１）、放送番組が受信されるか否かを判定する（Ｓ２２）。一方、でデジタル放送Ｄ３の受信品質が所定品質より良好でない場合（Ｓ１６でＮＯ）、制御ユニット２０は、前述したのと同様に、ＡＭチューナ１１での同調周波数ｆをΔｆだけ高くし（Ｓ２０）、当該デジタル放送Ｄ３と同じ放送局からの同じ番組のアナログ放送が受信されるか否かを判定する（Ｓ１８）。この場合、そのようなアナログ放送が受信されない（Ｓ１８でＮＯ）ので、制御ユニット２０は、更に、その同調周波数ｆをΔｆだけ高くして（Ｓ２１）、放送番組が受信されるか否かを判定する（Ｓ２２）。
【００５３】
以後、前記デジタル放送Ｄ３の受信品質が所定品質より良好な場合（Ｓ１６でＹＥＳ、Ｓ２０、Ｓ２１、Ｓ２２）、及び良好でない場合（Ｓ１６でＮＯ、Ｓ１７、Ｓ１８でＮＯ、Ｓ２１、Ｓ２２）のいずれの場合も、受信される放送番組があるか否かを確認しつつ（Ｓ２２）、同調周波数ｆをΔｆずつ順次ステップ的にあげていく（Ｓ２１）。その過程で、例えば、図２に示す同調周波数ｆk+4にてアナログ放送Ａ３の番組が受信されると（Ｓ２２でＹＥＳ）、制御ユニット２０は、その際に放送情報抽出ユニット２３にて抽出される放送情報に基づいて、アナログ放送Ａ３の番組についての放送情報（放送局名「ＵＶＷ」及び番組名「ｄｄｄｄｄ」）と、アナログ放送を受信していることを表すマーク「Ａ」とを、例えば、図７に示すように、表示ユニット２１に表示させる（Ｓ２３）。そして、制御ユニット２０の制御（Ｓ２４）のもと、アナログ放送処理ユニット１４での処理に従って前記アナログ放送Ａ３の番組（番組名「ｄｄｄｄｄ」）の音声出力がなされる。
【００５４】
これにより、利用者は、表示ユニット２２に表示された放送情報及びマーク「Ａ」により、現在受信されている放送番組が「ＵＶＷ局」からアナログ放送される「ｄｄｄｄｄ」という番組であることを知ることができ、また、その番組を聴くことができる。
【００５５】
以後、利用者が操作ユニット２１にてシーク動作についての操作を行う毎に、ＡＭチューナ１１での同調周波数ｆが順次Δｆずつあげられ、その際に受信される放送番組（アナログ放送またはデジタル放送の番組）の音声出力がなされるとともに、その放送番組についての放送情報（放送局名及び番組名）が表示ユニット２２に表示される。このようなシーク動作は、中波帯域の所定の上限周波数までなされ得る。
【００５６】
上述したようなシーク動作を行うラジオ受信装置１００では、受信されているアナログ放送の番組についての放送局名及び番組名が表示ユニット２２に表示された状態で、その受信されているアナログ放送の同調周波数から開始されるシーク動作により最初に受信される放送番組が、前記アナログ放送の番組と同一の放送局からのデジタル放送による同一の番組である場合（Ｓ１１、Ｓ１２でＮＯ、Ｓ１３、Ｓ１４でＹＥＳ）、新たに受信されたデジタル放送の番組に基づいた放送局名及び番組名の表示に係る処理がなされることなく、表示ユニット２２に表示された放送局名及び番組名が維持される（Ｓ１５）。このため、アナログ放送の番組が受信されている状態から、そのアナログ放送と同じ放送局からの同じ番組のデジタル放送が受信される状態に変化したときに、変化後のデジタル放送の番組に係る放送局名及び番組名の表示に係る処理に起因した表示ユニット２２の表示内容に対する影響、例えば、同じ放送局名及び番組名での画面切り替えがない。従って、その表示に係る処理に起因した表示内容に対する影響（表示の切り替え時におけるちらつき等）がない、利用者にとってより好ましいシーク動作が可能になる。
【００５７】
また、上述したラジオ受信装置１００では、受信されているデジタル放送の番組についての放送局名及び番組名が表示ユニット２２に表示された状態で、その受信されているデジタル放送の同調周波数からシーク動作が開始される際に、そのデジタル放送の受信品質が所定品質より良好でない場合に（Ｓ１１、Ｓ１２でＹＥＳ、Ｓ１６でＮＯ）、前記デジタル放送の番組と同一の放送局からのアナログ放送による同一の番組であれば（Ｓ１７、Ｓ１８でＹＥＳ）、新たに受信されたそのアナログ放送の番組に基づいた放送局名及び番組名の表示に係る処理がなされることなく、表示ユニット２２に表示された前記放送局名及び番組名が維持される（Ｓ１５）。このため、デジタル放送の番組が受信されている状態から、そのデジタル放送と同じ放送局からの同じ番組のアナログ放送が受信される状態に変化したときに、変化後のアナログ放送の番組に係る放送局名及び番組名の表示に係る処理に起因した表示ユニット２２の表示内容に対する影響、例えば、同じ放送局名及び番組名での画面切り替えがない。従って、その表示に係る処理に起因した表示内容に対する影響（表示の切り替え時におけるちらつき等）がない、利用者にとってより好ましいシーク動作が可能になる。
【００５８】
更に、上述したラジオ受信装置１００では、受信されているデジタル放送番組についての放送局名及び番組名が表示ユニット２２に表示された状態で、その受信されているデジタル放送の同調周波数からシーク動作が開始される際に、そのデジタル放送の受信品質が所定品質より良好である場合には（Ｓ１１、Ｓ１２でＹＥＳ、Ｓ１６でＹＥＳ）、該デジタル放送と同一放送局からの同一の番組のアナログ放送が受信されたとしても、そのアナログ放送の番組に基づいた音声出力及び放送情報の表示に係る処理がなされることなく、前記シーク動作が継続される（Ｓ２０、Ｓ２１、Ｓ２２）。従って、受信品質が良好なデジタル放送の番組を変えるとの利用者の意思によって始められたシーク動作において、該デジタル放送と同一の放送局からの同一の番組のアナログ放送が受信されたとしても、そのアナログ放送の番組に基づいた音声出力や放送局名及び番組名の表示がなされないので、利用者が希望しないであろう無駄な番組の音声出力や表示に係る処理を省くことができる。
【００５９】
前述したラジオ受信装置１００でのシーク動作は、同調周波数を順次上昇させていくものであったが、順次下降させていくものであっても勿論よい。
【００６０】
前記シーク動作では、同調周波数を、同一の放送局からの同一の番組についてのアナログ放送とデジタル放送との周波数間隔Δｆずつ順次ステップ的に変化させるものであったが、同調周波数を変化させるその周波数間隔は、放送局からなされる放送の最小の周波数間隔以下であれば特に限定されない。
【００６１】
表示ユニット２２に表示される放送情報は、放送局名及び番組名だけに限られず、放送番組についての事項であれば、例えば、その放送内容の説明、放送時間帯等、他の事項を含めるものであっても、当該他の事項だけであってもよい。
【産業上の利用可能性】
【００６２】
以上、説明したように、本発明は、デジタル放送及びアナログ放送の双方の受信が可能なラジオ受信装置において、利用者にとってより好ましいシーク動作が可能になるという効果を有し、デジタル放送及びアナログ放送の双方が受信可能であって、同調周波数を順次変えて受信される放送番組を探すシーク動作を行うラジオ受信装置として有用である。
【符号の説明】
【００６３】
１１  ＡＭチューナ
１２  復調回路
１３  デジタル放送処理ユニット
１４  アナログ放送処理ユニット
１５  出力回路
１６  スピーカ
２０  制御ユニット
２１  操作ユニット
２２  表示ユニット
２３  放送情報抽出ユニット
１００  ラジオ受信装置
【図１】
2014078819.tif 000003
【図２】
2014078819.tif 000004
【図３】
2014078819.tif 000005
【図４Ａ】
2014078819.tif 000006
【図４Ｂ】
2014078819.tif 000007
【図５Ａ】
2014078819.tif 000008
【図５Ｂ】
2014078819.tif 000009
【図６】
2014078819.tif 000010
【図７】
2014078819.tif 000011